(57)【要約】【課題】定着温度を高く設定していることに起因する無駄な電力消費を削減することが可能な画像形成装置、定着温度設定方法及びプログラムを提供する。【解決手段】ＭＦＰは、ユーザが所持しているＩＣタグからユーザＩＤを取得する。ＭＦＰは、ユーザＩＤにより特定されるユーザの利用履歴を取得する。ＭＦＰは、利用履歴に基づいて、出力設定を予測する。ＭＦＰは、予測した出力設定に基づいて、定着温度を設定する。【選択図】図５
2014199411.tif 000002
【特許請求の範囲】
【請求項１】
ユーザを識別するための識別情報を取得する 識別情報取得部と、
前記識別情報により特定される前記ユーザの利用履歴情報 を取得する利用履歴情報取得部と、
前記利用履歴情報に基づいて、前記ユーザが利用する出力設定 を予測する出力設定予測部と、
予測された前記出力設定 に基づいて、定着温度を設定する定着温度設定部と、
を有する画像形成装置。
【請求項２】
請求項１に記載された画像形成装置において、
前記定着温度設定部により設定された定着温度に応じて、定着部のウォームアップを開始するタイミングを設定する開始タイミング設定部を更に有する画像形成装置。
【請求項３】
請求項１に記載された画像形成装置において、
前記出力設定は、少なくとも枚数を含む画像形成装置。
【請求項４】
請求項１に記載された画像形成装置において、
予測された前記出力設定に応じて、表示内容を変更する操作表示部を更に有する画像形成装置。
【請求項５】
請求項１に記載された画像形成装置において、
前記識別情報は、前記ユーザが所持する非接触型のＩＣタグに格納され、
前記識別情報取得部は、前記ＩＣタグから無線通信で前記識別情報を取得する画像形成装置。
【請求項６】
画像形成装置の定着温度設定方法であって、
ユーザを識別するための識別情報を取得する識別情報取得工程と、
前記識別情報により特定される前記ユーザの利用履歴情報を取得する利用履歴情報取得工程と、
前記利用履歴情報に基づいて、前記ユーザが利用する出力設定を予測する出力設定予測工程と、
予測された前記出力設定に基づいて、定着温度を設定する定着温度設定工程と、
を有する定着温度設定方法。
【請求項７】
ユーザを識別するための識別情報を取得する識別情報取得工程と、
前記識別情報により特定される前記ユーザの利用履歴情報を取得する利用履歴情報取得工程と、
前記利用履歴情報に基づいて、前記ユーザが利用する出力設定を予測する出力設定予測工程と、
予測された前記出力設定に基づいて、定着温度を設定する定着温度設定工程と、
をコンピュータに実行させるためのプログラム。
【発明の詳細な説明】
【技術分野】
【０００１】
本発明は、画像形成装置、定着温度設定方法及びプログラムに関する。
【背景技術】
【０００２】
近年、複写機等の画像形成装置は節電機能を有するものが殆どである。例えば、ヒータによる熱で定着器を定着温度に維持し、トナーを用紙に定着させる構成の複写機では、複写が行われていない待機中にヒータへの供給電力を停止または低減して定着器の温度を定着温度よりも低い温度に維持することで節電が行われる。
【０００３】
このように、待機中に定着器の温度を低温に維持することで節電を図ることができるが、その一方で、ユーザが緊急に複写を行いたい場合であっても定着器の温度を定着温度に到達させる準備動作が終わるまで待たなければならず、不便な面もある。
【０００４】
このような問題に対し、特許文献１には、節電モード中に、複写機が人の接近を検知し、複写機のユーザであるか否かを判断し、ユーザであると判断すると節電モードを解除する技術が開示されている。この技術によれば、ユーザが複写機の設置場所に到達する前に準備動作が始まるので待ち時間が少なくて済む。
【０００５】
しかしながら、特許文献１に記載された技術では、ユーザが接近すると必ず節電が解除されるので、例えばユーザが複写機の近くにある別の装置を利用するために複写機に近づいたときでも節電モードが解除されてしまい、無駄な電力供給が行われる場合が生じるという問題がある。
【０００６】
この問題に対応した画像形成装置として、特許文献２に記載された画像形成装置がある。この画像形成装置によれば、ユーザＩＤが格納されたＩＣタグが装着された社員証を所持しているユーザが近づくと、ユーザＩＤを取得すると共に、過去の利用履歴を参照し、出力動作（画像形成プロセス）を行うアプリ（以下、出力アプリと言う。）を利用すると予測すると、定着器のウォームアップを含む準備動作を開始することで、節電とユーザの利便性とを両立させることができるとされる。
【発明の概要】
【発明が解決しようとする課題】
【０００７】
しかしながら、特許文献２に記載された画像形成装置では、出力アプリの定着温度を出力設定（枚数、紙種、紙厚、色モード等）に応じて最適化していない（定着温度を固定している）ため、例えば一回当たりの出力枚数が少ない場合には、過剰な電力供給による無駄な電力消費がある。
【０００８】
即ち、一回当たりの出力枚数が少ない場合（例えば６枚以下の場合）は、出力枚数が多い場合（例えば５０枚の場合）よりも定着温度を低く設定することで、消費電力を低減することができるが、一般には、一回当たりの出力枚数が多い場合を想定して定着温度を高く設定している。従って、オフィスに設置される画像形成装置では一回当たりの出力枚数が少ない使われ方が多いのが現状であるため、過剰な電力供給による無駄な電力消費が多くなる。
【０００９】
本発明は、上記事情に鑑みてなされたものであり、定着温度を高く設定していることに起因する無駄な電力消費を削減することが可能な画像形成装置、定着温度設定方法及びプログラムを提供することを目的とする。
【課題を解決するための手段】
【００１０】
上述した課題を解決し、目的を達成するために、本発明の一態様にかかる画像形成装置は、ユーザを識別するための識別情報を取得する識別情報取得部と、前記識別情報により特定される前記ユーザの利用履歴情報を取得する利用履歴情報取得部と、前記利用履歴情報に基づいて、前記ユーザが利用する出力設定を予測する出力設定予測部と、予測された前記出力設定に基づいて、定着温度を設定する定着温度設定部と、を有する。
【発明の効果】
【００１１】
本発明によれば、定着温度を高く設定していることに起因する無駄な電力消費を削減することができるという効果を奏する。
【図面の簡単な説明】
【００１２】
【図１】図１は、本実施形態の画像形成装置の全体的な構成を概略的に示す縦断正面図である。
【図２】図２は、本実施形態の画像形成装置の制御系の構成を示すブロック図である。
【図３】図３は、本実施形態の画像形成装置にユーザが接近してきたときの制御部の処理を示すフローチャートである。
【図４】図４は、図３における出力設定の予測結果と定着温度及びウォームアップ時間との関係の一例を示す図である。
【図５】図５は、本実施形態の画像形成装置をユーザが利用するときのユーザ及び画像形成装置の動作の推移の概要を示す図である。
【発明を実施するための形態】
【００１３】
以下、本発明の実施形態について図面を参照して説明する。
【００１４】
〈画像形成装置の概略構成〉
図１は、本実施形態の画像形成装置の全体的な構成を概略的に示す縦断正面図である。
【００１５】
本実施形態の画像形成装置は、電子写真方式を利用したタンデム型のフルカラー画像形成装置であり、装置本体１の略中央には画像形成部（プリンタエンジン）２が設けられ、その直下には給紙装置となる給紙部３が設けられている。
【００１６】
給紙部３は、例えば各々用紙収納部となる４段の給紙カセット４ａ〜４ｄを備えている。これらの給紙カセット４ａ〜４ｄは、装置本体１に対して前後方向（図面上、紙面表裏方向）に引出・収納自在に設けられている。給紙カセット４ａ〜４ｄには、サイズ（Ｂ５、Ａ４、Ｂ４）や向き（縦、横）の異なる用紙がセットされる。
【００１７】
画像形成部２の上方には、原稿画像を読み取る読取部（スキャナ）５が設けられている。画像形成部２の用紙搬送方向下流側（図面上、左側）には、画像形成済みの用紙６が排紙される排紙トレイ７が設けられている。画像形成部２の用紙搬送方向上流側（図面上、右側）には、用紙６を手差し給紙させるための用紙収納部である手差しトレイ８が設けられている。
【００１８】
画像形成部２では、無端状のベルトからなる中間転写ベルト９の上方に、イエロー（Ｙ）、マゼンタ（Ｍ）、シアン（Ｃ）、ブラック（Ｋ）用の複数の作像部１０が並置されている。各々の作像部１０では、色毎に設けられたドラム状の感光体１１の外周に沿って、帯電装置１２、現像装置１３、クリーニング装置１４などの電子写真プロセス部材或いは装置が配置されている。作像部１０の上方には、感光体１１の表面に画像情報に応じたレーザ光を照射する露光部１５が配置されている。
【００１９】
帯電装置１２は、感光体１１の表面に帯電処理を行い、露光部１５は、帯電された感光体１１の表面にレーザ光を照射する。現像装置１３は、レーザ光による露光で感光体１１の表面に形成された静電潜像をトナーで現像して可視化し、クリーニング装置１４は、転写後に感光体１１の表面に残留したトナーを回収する。
【００２０】
作像プロセスは以下のように実行される。まず、中間転写ベルト９上に色毎の画像が順次に作像され、中間転写ベルト９上に４色が重畳されて１つのカラー画像が形成される。その際、最初に、イエロー（Ｙ）の作像部で、イエロー（Ｙ）のトナーを現像し、中間転写ベルト９に転写する。次に、マゼンタ（Ｍ）の作像部で、マゼンタ（Ｍ）のトナーを現像し、中間転写ベルト９に転写する。次に、シアン（Ｃ）の作像部で、シアン（Ｃ）のトナーを現像し、中間転写ベルト９上に転写し、最後に、ブラック（Ｋ）のトナーを現像し、中間転写ベルト９上に転写し、４色が重畳されたフルカラーのトナー画像が形成される。そして、中間転写ベルト９上に転写されたフルカラーのトナー画像は、給紙部３から給紙されてきた用紙６に転写装置１６で転写され、定着部１７によって定着された後、排紙ローラ１８によって排紙トレイ７に排紙される。
【００２１】
読取部５では、コンタクトガラス３１上に載置される原稿（図示せず）の読取走査を行うために、原稿照明用光源とミラーを搭載した第１の走行体３２及び第２の走行体３３が往復移動する。
【００２２】
第１の走行体３２及び第２の走行体３３の走査により原稿から反射した光は、レンズ３４によって後方に設置されているＣＣＤ３５の結像面に集光され、ＣＣＤ３５によって画像信号として読み込まれる。
【００２３】
読み込まれた画像信号は、デジタル化され画像処理される。そして、画像処理された信号に基づいて、露光部１５内のＬＤ（レーザダイオード：図示せず）の発光により感光体１１の表面に光書き込みが行われ、静電潜像が形成される。ＬＤからの光信号は、公知のポリゴンミラーやレンズを介して感光体１１に至る。
【００２４】
読取部５の上部には、原稿を自動的にコンタクトガラス３１上に搬送する自動原稿搬送装置３６が搭載されている。
【００２５】
なお、本実施形態の画像形成装置は、上述した複写機としての機能（コピーアプリ）の他に、ファクシミリの機能（ＦＡＸアプリ）、プリンタの機能（プリンタアプリ）、及びスキャナの機能（スキャナアプリ）を有する多機能の画像形成装置（複合機：ＭＦＰ（Multifunction  Peripheral））である。どの出力アプリによる画像形成も上述した画像形成プロセスによって用紙６上に画像が形成され、排紙トレイ７に排紙される。
【００２６】
〈画像形成装置の制御系の構成〉
図２は、本実施形態の画像形成装置の制御系の構成を示すブロック図である。
【００２７】
本実施形態の画像形成装置の制御系は、制御部１０１と、それぞれが制御部１０１に接続された画像入力部１０２、画像処理部１０３、操作表示部（オペレーションパネル）１０４、個人認証情報検知部１０５、センサ部１０６、画像形成部２、給紙部３、露光部１５、定着部１７、記憶部１０７、及びヒータ用電源１０８を備えている。
【００２８】
制御部１０１は、ＣＰＵ（Central  Processing  Unit）、ＲＯＭ（Read  Only  Memory）及びＲＡＭ（Random  Access  Memory）を備えたマイクロコンピュータで構成されており、ＣＰＵはＲＯＭに格納されたプログラムに従ってＲＡＭをワークエリアとして使用しながら前述の各部及び全体の制御を司る。ＲＡＭはＣＰＵが処理過程で使用する各種データも記憶する。
【００２９】
画像入力部１０２には、スキャナ５やネットワークを介して画像形成するための画像データが入力される。スキャナ５から入力された画像データは、画像処理部１０３で画像処理された後、記憶部１０７に記憶され、若しくは直接、露光部１５から光書き込みが行われる。ファクシミリ信号などのように画像処理された画像データが入力された場合には、画像データは、画像処理部１０３で画像処理されることなく記憶部１０７に記憶され、若しくは露光部１５から光書込みが行われる。
【００３０】
画像形成部２では、光書込みが行われ、前述のように潜像が形成された感光体１１に対してトナーによる現像を行い、転写すべきトナー画像を形成する。トナー画像は、給紙部３を介して搬送されてきた用紙６上に転写され、定着部１７で定着された後、排紙される。
【００３１】
操作表示部１０４は、キー入力装置に加え、タッチパネル方式の入力装置を備え、タッチパネルの背後の液晶表示装置によって入力された設定条件の表示や、設定条件に合わない場合の警告表示を含む各種表示が行われる。
【００３２】
識別情報取得部の一例である個人認証情報検知部１０５は、本実施形態の画像形成装置のユーザが所持する社員証などに装着されている識別情報記憶部の一例である非接触型又は接触型のＩＣタグが無線通信可能領域に入ると、このＩＣタグとの間で無線通信を行う。ＩＣタグは、ＲＦＩＤ（Radio  Frequency  Identification）と呼ばれるものであり、送受信用アンテナとコントロールＩＣ等を内蔵する公知の構成からなり、ＩＣタグのリーダ／ライタとして個人認証情報検知部１０５との間で無線通信を行う。なお、個人認証情報検知部１０５を操作表示部１０４に設けてもよい。
【００３３】
個人認証情報検知部１０５は、無線通信により、ＩＣタグに格納されているユーザＩＤ（ユーザを識別するための識別情報の一例）を読み出して制御部１０１へ送出する。制御部１０１は、ユーザＩＤが後述するユーザ情報１３１に含まれているか否か（予め登録されているか否か）に基づいてユーザ認証を行う。認証されたユーザのみが、本実施形態の画像形成装置を利用することができる。
【００３４】
センサ部１０６は、用紙６の搬送状態（ジャム）を検知するセンサ、感光体１１上のトナー画像の濃度を検知するためのセンサ、及び定着部１７の温度を検知する温度センサなど、各種センサから構成され、検知した情報を制御部１０１へ送出する。
【００３５】
記憶部１０７は、ＨＤＤ（ハードディスク装置）１２１と、フラッシュメモリなどの不揮発性メモリ１２２からなる。ＨＤＤ１２１には、画像入力部１０２から入力され、画像処理部１０３で処理された画像データが記憶される。またＨＤＤ１２１には、本実施形態の画像形成装置のユーザ情報１３１として、氏名、所属部署、上述したユーザＩＤなどが記憶（登録）される。またＨＤＤ１２１には、ユーザ毎の利用履歴情報１３２も記憶される。なお、ユーザ情報１３１及び利用履歴情報１３２を、不揮発性メモリ１２２、又は図示されていない外部装置、例えばネットワーク上のサーバに記憶してもよい。
【００３６】
利用履歴情報１３２は、各ユーザが過去の一定期間内に利用したアプリ（コピーアプリ、スキャナアプリ、プリントアプリ、及びＦＡＸアプリ）と、アプリの設定情報とを、時刻情報に対応付けたものである。アプリが出力アプリ（コピーアプリ、プリントアプリ、及びＦＡＸアプリの受信時）の場合、設定情報には、紙種（普通紙／厚紙等）、紙サイズ（Ｂ５／Ａ４／Ｂ４等）、及び色モード（４色カラー／モノクロ等）などの出力設定の項目毎の内容を示す出力設定情報がある。時刻情報は、アプリ利用時のユーザの操作時間、即ち操作表示部１０４で各種設定を開始してから、設定を終了し、アプリの動作開始指示（コピーボタンの押下など）を行うまでの時間である。本実施形態の画像形成装置に、給紙部３の各給紙カセット４ａ〜４ｄを示す情報や周辺装置（例えばステープル、パンチ等の後処理装置）がある場合、利用履歴情報１３２には、周辺装置の構成及び利用状況なども含まれる。
【００３７】
周辺装置（後処理装置）の構成及び利用状況の履歴を記憶する理由を説明する。周辺装置が動作する際、画像形成装置を介して周辺装置に動作用の電力が供給される。画像形成装置の最大入力電力は限られているので、周辺装置の動作により、画像形成装置が利用可能な最大電力が減り、ヒータ用電源１０８の出力電力が不足するため、定着部１７の温度が低下してしまう。そこで、周辺装置を利用すると予測した場合は、ウォームアップ時に蓄熱量を多くしておくため、後処理動作が無い場合より、定着温度を高く設定する。
【００３８】
不揮発性メモリ１２２には、本実施形態の画像形成装置の出力設定と定着部１７の定着温度との対応関係、及び定着温度とウォームアップ時間との対応関係を示す定着温度／ウォームアップ時間設定用テーブル１３３が記憶されている。出力設定の項目及び出力設定の項目の内容としては、「色モード：４色カラー／モノクロ等」、「紙種：普通紙／厚紙等」、「紙サイズ：Ｂ５／Ａ４／Ｂ４等」、「枚数」、及び「後処理の有無」などがある。
【００３９】
制御部１０１は、利用予測部１１１、定着温度設定部１１２、ウォームアップ時間設定部１１３、及びウォームアップ開始タイミング算出部１１４を有している。これらは、制御部１０１内のＣＰＵが、個人認証情報検知部１０５で検知されたユーザＩＤ、ユーザ毎の利用履歴情報１３２、及び定着温度／ウォームアップ時間設定用テーブル１３３を用いて実行する処理に対応する機能ブロックである。例えば、ＣＰＵがＲＯＭからプログラムをＲＡＭ上に読み出して実行することにより、これらの各部がコンピュータ上で実現される。
【００４０】
利用履歴情報取得部及び出力設定予測部の一例である利用予測部１１１は、個人認証情報検知部１０５で検知されたユーザＩＤにより特定されたユーザの利用履歴情報１３２を読み出し、ユーザが利用しようとするアプリ及びアプリの設定（出力アプリについては出力設定）を予測する。
【００４１】
定着温度設定部の一例である定着温度設定部１１２は、予測されたアプリが出力アプリであった場合、その出力設定に対応する定着温度を定着温度／ウォームアップ時間設定用テーブル１３３から読み出し、定着部１７の定着温度として、制御部１０１内のＲＡＭに設定する。
【００４２】
開始タイミング設定部の一例であるウォームアップ時間設定部１１３は、定着部１７のウォームアップが開始されてから、定着温度設定部１１２で設定された定着温度に達するまでの時間を定着温度／ウォームアップ時間設定用テーブル１３３から読み出し、制御部１０１内のＲＡＭに設定する。
【００４３】
開始タイミング設定部の一例であるウォームアップ開始タイミング算出部１１４は、まず利用予測部１１１で予測された出力アプリの出力設定がユーザにより操作表示部１０４から入力されると、動作開始指示（コピーボタンの押下など）を行うタイミングを予測する。ウォームアップ開始タイミング算出部１１４は、次に、予測した時刻になった時に定着部１７の温度が定着温度に達しているようにするため、定着部１７のウォームアップを開始する時刻を算出する。即ち、ウォームアップ開始タイミング算出部１１４は、予測した時刻からウォームアップ時間だけ前の時刻（早い時刻）を算出する。
【００４４】
制御部１０１は、ウォームアップ開始タイミング算出部１１４により算出された時刻になった時、ウォームアップを開始する。なお制御部１０１は、ウォームアップ開始タイミング算出部１１４が時刻を算出した時点で、その時刻を過ぎていた場合は、直ちにウォームアップを開始する。ウォームアップでは、定着部１７に設けられたヒータ（図示せず）にヒータ用電源１０８から給電して定着ローラ（図示せず）を加熱するとともに、定着ローラの近くに配置された温度センサで検出した温度に基づいて、制御部１０１がフィードバック制御を行う。
【００４５】
〈画像形成装置の動作〉
図３は、本実施形態の画像形成装置にユーザが接近してきたときの制御部１０１の処理（定着温度設定方法）を示すフローチャートである。
【００４６】
ＩＣタグ（ここでは非接触型とする。）を所持しているユーザがＩＣタグと個人認証情報検知部１０５との無線通信可能範囲に入ると、ユーザ認証が行われる（ステップＳ１：識別情報取得工程及びユーザ認証工程）。即ち、個人認証情報検知部１０５はＩＣタグとの無線通信により、ＩＣタグに記憶されているユーザＩＤを取得して、制御部１０１へ送る。制御部１０１は受け取ったユーザＩＤがＨＤＤ１２１に記憶されているユーザ情報に含まれているか否か、即ちユーザＩＤが登録済みか否かを調べる。その結果、登録されている場合はステップＳ２へ進む。図示を省略したが、登録されていない場合は、操作表示部１０４にその旨を表示する。
【００４７】
ステップＳ２では、利用予測部１１１は、ステップＳ１で認証されたユーザＩＤにより特定されたユーザの利用履歴情報１３２をＨＤＤ１２１から読み出して参照する（利用履歴情報取得工程）。次に、利用予測部１１１は、参照した利用履歴情報から、特定されたユーザが利用しようとするアプリ及びアプリの設定を予測する（ステップＳ３：アプリ予測工程、及び予測されたアプリが出力アプリの場合の出力設定予測工程）。ここで、アプリ及びアプリの設定の予測は、例えば過去の一定期間内の同じ曜日の同じ時間帯（午前／午後、或いは３時間毎等）において、ユーザの利用頻度が最高のアプリ及びこのアプリの設定を選択（予測）するものとする。
【００４８】
制御部１０１は、予測されたアプリが出力アプリか否かを判定する（ステップＳ４）。出力アプリではないと判定した場合は（ステップＳ４：NO）、この図に示すフローから抜けて該当するアプリの準備動作へ移行する。一方、出力アプリであると判定した場合は（ステップＳ４：YES）、定着温度設定部１１２は、ステップＳ３で予測された設定（紙種、紙サイズ、色モード、及び枚数など）から定着温度ａを設定する（ステップＳ５：定着温度設定工程）。
【００４９】
本実施形態では、定着温度設定部１１２は、予測された設定に対応する定着温度を定着温度／ウォームアップ時間設定用テーブル１３３から読み出して取得し、定着温度ａとして設定する。図４は、予測された出力設定と定着温度ａとの関係、及び定着温度ａと後述するウォームアップ時間αとの関係の一例を示す図である。つまり、この図は定着温度／ウォームアップ時間設定用テーブル１３３の内容の一例を示していると言える。
【００５０】
図４に示すように、例えば予測結果が「１」（紙種：普通紙、紙サイズ：Ａ４、色：４色カラー、枚数：１〜５枚、後処理：有）、「２」（紙種：普通紙、紙サイズ：Ａ４、色：４色カラー、枚数：６〜１２枚、後処理：有）、「３」（紙種：普通紙、紙サイズ：Ａ４、色：４色カラー、枚数：１３〜５０枚、後処理：有）の場合、それぞれ１５５度、１７０度、１８０度が定着温度として設定される。
【００５１】
ウォームアップ時間設定部１１３は、ウォームアップ時間αを設定する（ステップＳ６）。即ち、定着温度ａに紐付けられているウォームアップ時間を定着温度／ウォームアップ時間設定用テーブル１３３から読み出し、制御部１０１内のＲＡＭに設定する。図４に示すように、定着温度が１５５度、１７０度、１８０度の場合、それぞれ６秒、８秒、９．５秒がウォームアップ時間αとして設定される。
【００５２】
ウォームアップ開始タイミング算出部１１４は、ステップＳ３で予測された出力アプリの設定をユーザが操作表示部１０４から設定し、動作開始指示（コピーボタンの押下など）を行う時刻（タイミング）Ｂを予測し（ステップＳ７)、次に時刻Ｂからウォームアップ時間α前の時刻（Ｂ−α）を算出する（ステップＳ８）。ここで、ステップＳ７では、ステップＳ１を実行した位置（無線通信可能領域の外周付近）から画像形成装置の正面までユーザが歩いてくる時間を予め定めた一定時間とする。
【００５３】
制御部１０１は、現在時刻Ａが時刻（Ｂ−α）以後であるか否かを判定し（ステップＳ９）、時刻（Ｂ−α）以後であった場合（ステップＳ９：YES）、定着部１７のウォームアップの開始を伴う準備動作を実行した後（ステップＳ１０）、次の動作（待機状態の維持など）を行う。ここで、定着部１７のウォームアップ以外の準備動作としては、例えば露光部１５の光量調整、感光体１１の回転制御などがある。
【００５４】
〈ユーザ及び装置の動作の推移〉
図５は、本実施形態の画像形成装置をユーザが利用するときのユーザ及び画像形成装置の動作の推移の概要を示す図である。この図を用いて、画像形成装置の動作説明を補足する。
【００５５】
まず、ユーザがＭＦＰから所定の距離に近づくと、個人認証が行われる（動作：Ｄ１）。ユーザがＭＦＰへの接近を続け（動作：Ｄ２）、ＭＦＰに到達すると、操作を開始する（動作：Ｄ３）。
【００５６】
ＭＦＰは、個人認証の後、定着温度の設定、ウォームアップ時間の設定、及びウォームアップ開始タイミングの算出を行い、このタイミングになった時点でウォームアップを開始する。ここでは、ＭＦＰは、定着温度が１８５度、ウォームアップ時間がα１の場合、動作開始指示時刻Ｂからα１前の時刻でウォームアップを開始する。またＭＦＰは、定着温度が１５５度、ウォームアップ時間がα２の場合、動作開始指示時刻Ｂからα２前の時刻でウォームアップを開始する。
【００５７】
このように、動作開始指示時刻Ｂに合わせてウォームアップを開始することで、ユーザを待たせることもなく、且つ、早期に定着温度に達してしまい、待機状態で温度を維持するための無駄な電力も省ける。
【００５８】
なお、本発明は以上説明した実施形態に対して、下記（１）〜（８）の変形が可能である。
（１）定着温度ａをテーブルから取得する代わりに、算出式を用いて算出する。
（２）動作開始指示を行うタイミングＢを予測するとき（図４のステップＳ７）、ユーザが操作表示部１０４を操作して設定を行う時間（操作時間）を予め定めた一定値とする。
（３）動作開始指示を行うタイミングＢを予測するとき（図４のステップＳ７）、ステップＳ１を実行した位置（無線通信可能領域の外周付近）から画像形成装置の正面までユーザが歩いてくる時間を、予めユーザ情報１３１として登録しておいたユーザの歩行速度から予測する。
（４）操作表示部１０４の操作時間の予測に関しては、表示内容を変更し、ユーザが１つ１つの設定をせずに済む操作画面を既に表示している場合は、過去の利用履歴から予測される操作時間より短い時間とする。
（５）ユーザによる出力設定が予測と異なるため、定着温度のアップが必要な場合は、下記ａ、ｂのいずれかの処理を行う。
ａ：定着温度のアップが完了するまでの間、操作表示部１０４に「お待ちください」などを表示し、完了した時点で「コピーできます」などを表示する。
ｂ：ユーザが設定した枚数が予測枚数より多いことが定着温度アップの要因の場合、予測した枚数については定着温度をアップせずに印刷し、残りの枚数については、定着温度のアップが完了したときに印刷する。即ち、出力アプリの動作を中断して定着温度をアップし、完了したときに出力アプリの動作を再開する。
（６）ユーザが所持するＩＣタグを接触型とする。この場合、図５における動作：Ｄ１と動作：Ｄ３とがほぼ同じタイミングで実行される。
（７）出力設定の項目を、枚数、紙サイズ、紙種、色モード、後処理の有無の内、少なくとも枚数を含む１つ以上とする。
（８）ユーザが所持する携帯端末装置から電波や非可聴帯域の音波などを用いた近距離無線通信により、携帯端末装置内のメモリに記憶されているユーザＩＤを取得する。
【符号の説明】
【００５９】
１７  定着部
１０１  制御部
１０４  操作表示部
１０５  個人認証情報検知部
１０７  記憶部
１０８  ヒータ用電源
１１１  利用予測部
１１２  定着温度設定部
１１３  ウォームアップ時間設定部
１１４  ウォームアップ開始タイミング算出部
１３２  利用履歴情報
１３３  定着温度／ウォームアップ時間設定用テーブル
【先行技術文献】
【特許文献】
【００６０】
【特許文献１】特開平６−１８９０４８号公報
【特許文献２】特開２００７−４９３０８号公報
【図１】
2014199411.tif 000003
【図２】
2014199411.tif 000004
【図３】
2014199411.tif 000005
【図４】
2014199411.tif 000006
【図５】
2014199411.tif 000007